(57)【要約】複数の場所においてディスプレイデバイス（１２１−１２ｎ）を有するホームマルチメディアネットワーク（１０、１００）は、ユーザが、一の場所において、以前に記録されたコンテンツの再生をポーズし、後に他の場所においてコンテンツの再生を再開する機能を提供する。ある場所（例えば子供部屋）においてふさわしくないコンテンツの再生を再開することを防止するために、ホームマルチメディアネットワークは、ポーズされた以前に記録されたコンテンツを受信できる、許可が可能な場所のリストを設定することにより、ユーザに、選択された場所を、再生の再開から制限する機能を提供する。
2014519240.tif 000002
【特許請求の範囲】
【請求項１】
複数の場所において以前に記録されたコンテンツへのアクセスの制御をする方法であって、
ユーザが、一の場所において、前記以前に記録されたコンテンツの再生の再開が許可されるかどうかを判定するステップであって、前記以前に記録されたコンテンツは以前に他の場所においてポーズされた、ステップと、
前記以前に記録されたコンテンツの再生の再開が許可される場合、
前記一の場所において、前記ポーズされた以前に記録されたコンテンツの再生を開始するステップと、
を含む、前記方法。
【請求項２】
前記判定するステップは、前記一の場所が、前記コンテンツに関するレーティングに基づいてコンテンツの再生の再開を許可されるかどうかを判定するステップを含む、請求項１に記載の方法。
【請求項３】
前記判定するステップは、前記一の場所が、日時に基づいて再生の再開を許可されるかどうかを判定するステップを含む、請求項１に記載の方法。
【請求項４】
前記判定するステップは、前記一の場所が、ユーザの設定した場所の認可のリストにしたがって再生の再開を許可されるかどうかを判定するステップを含む、請求項１に記載の方法。
【請求項５】
前記以前に記録されたコンテンツの再生を開始するステップは、リモートコントロールからのポーズ解除のコマンドを受信するステップを含む、請求項１に記載の方法。
【請求項６】
前記以前に記録されたコンテンツの再生を開始するステップは、モバイルデバイスからのポーズ解除のコマンドを受信するステップを含む、請求項１に記載の方法。
【請求項７】
複数の場所に置いて以前に記録されたコンテンツへのアクセスの制御をする装置であって、
ユーザが、一の場所において、前記以前に記録されたコンテンツの再生の再開が許可されるかどうかを判定する手段であって、前記以前に記録されたコンテンツは以前に他の場所においてポーズされた、手段と、
前記以前に記録されたコンテンツの再生の再開が許可される場合、
前記一の場所において、前記ポーズされた以前に記録されたコンテンツの再生を開始する手段と、
を含む、前記装置。
【請求項８】
前記判定する手段は、前記一の場所が、前記コンテンツに関するレーティングに基づいて再生の再開を許可されるかどうかを判定する、請求項７に記載の装置。
【請求項９】
前記判定する手段は、前記一の場所が、日時に基づいて再生の再開を許可されるかどうかを判定する、請求項７に記載の装置。
【請求項１０】
前記判定する手段は、前記一の場所が、ユーザの設定した場所の認可のリストにしたがって再生の再開を許可されるかどうかを判定する、請求項７に記載の装置。
【請求項１１】
前記以前に記録されたコンテンツの再生を開始する手段は、リモートコントロールからのポーズ解除のコマンドに応答する、請求項７に記載の装置。
【請求項１２】
前記以前に記録されたコンテンツの再生を開始する手段は、モバイルデバイスからのポーズ解除のコマンドに応答する、請求項７に記載の装置。
【発明の詳細な説明】
【技術分野】
【０００１】
本発明は、複数の場所におけるコンテンツ再生へのアクセスを制御する技術に関する。
【背景技術】
【０００２】
動画コンテンツの配信は、特定の時間のみに利用可能な固定されたプログラムのセットの配布から任意の時間にダウンロードするための動画コンテンツの提供へ発展してきた。主として、記録技術における進歩により、任意の時間におけるコンテンツの配信が可能となった。デジタル非線形記録装置（ハードディスクドライブ）の開発により、大量の動画コンテンツの格納が可能となり、同時に、ＭＰＥＧ−２やＨ．２６４等の動画圧縮標準の発展により、完全な長さのモーションピクチャー及び任意の時間の配信に対する他のタイプの動画視聴番組の記憶及び送信が可能となった。
【０００３】
ケーブルテレビや衛星テレビのプロバイダ等、多くの動画コンテンツのプロバイダは、現在、内蔵された記録デバイスを有するセットトップボックスを提供し、セットトップボックスにより、ユーザが、後に視聴するための番組を記憶することを可能にする。また、いくつかの動画コンテンツのプロバイダは、ユーザに、一般的には「ｎｅｔｗｏｒｋ−ｂａｓｅｄ  ｒｅｃｏｒｄｉｎｇ」と呼ばれる、プロバイダのネットワーク内の記録装置においてコンテンツを記録する能力を提供する。また、ユーザは、パーソナルコンピュータ、携帯電話、及びセットトップボックスを介してコンテンツを再生するための他の装置等の、外部記録デバイスにおいてコンテンツを記録することができる。
【０００４】
ユーザにコンテンツを記録する能力を提供することに加えて、多くのコンテンツプロバイダは、現在、ユーザに、例えば家庭等、共有の敷地の中の複数の場所の間でコンテンツを共有する能力を提供する。この、セットトップボックスのコンテンツの共有能力により、セットトップボックスを、「家全体」の装置として機能させることができ、ユーザが一の場所において番組の視聴を開始し、その後、番組をポーズ（一時停止）し、後に番組を再生するために、別の場所において番組のポーズを解除できるようにする、ポーズ−転送−ポーズ解除のような特徴を生み出す。現在、家全体のセットトップボックスに関連するポーズ−転送−ポーズ解除の機能は、任意の場所における任意のユーザが、視聴のための番組のポーズを解除することができるようにする。「家全体」のセットトップボックスが、モバイルデバイスによる無線アクセスができると仮定すると、そのモバイルデバイスのユーザは、任意の場所においてコンテンツのポーズを解除することもできる。
【０００５】
場合によっては、ポーズ−転送−ポーズ解除の機能を使用して複数の場所における視聴を可能にする、記録されたコンテンツは、家族のすべての構成員が視聴することに対する適切さを欠く可能性がある。例えば、成人向けコンテンツを含む映画は、子供が視聴することに対する適切さを欠く可能性がある。しかし、ポーズ−転送−ポーズ解除の機能を提供する今日のセットトップボックスは、特定の場所におけるコンテンツのポーズの解除を防ぐために、親が制御することができない。
【０００６】
いくつかのコンテンツプロバイダは、ユーザに、そのようなコンテンツに係わるレーティングに基づいて、視聴の制限をする機能を提供する。例えば、典型的に、映画は、Ｇ（一般視聴者）、ＰＧ（保護者の指導が望ましい）、ＰＧ−１３（保護者の指導が望ましいが、１３歳未満の子供に対して適切）、及びＲ（制限）のレーティングのうちのひとつを有する。しかし、このようなレーティングは、子供の視聴希望に対して必ずしも優れた識別子を提供するとは限らない。いかなるのレーティングも有さないコンテンツは、成人に対してのみ適切なトピックを含む可能性がある。すべてのレーティング付けされたコンテンツのポーズ解除を防止することは、有効な解決を提供しない。多くの子供向けのショーは、コンテンツのレーティングを欠いており、したがって、パスワードがない場合、子供がポーズ解除をすることができない。多くの家族の構成員がそのようなデバイスを所有するため、コンテンツプロバイダがモバイルデバイスによるコンテンツのポーズ解除を許可する場合に、同じ問題が存在する。
【０００７】
したがって、複数の場所のデジタルビデオレコーダのアクセスを制御するための技術の存在が必要となる。
【発明の概要】
【０００８】
簡潔に言うと、本発明の原理の好適な実施形態にしたがって、共有の敷地内の複数の場所における記録されたコンテンツへのアクセスを制御する方法が、一の場所において以前にポーズされた記録されたコンテンツを別の場所において再生を開始するポーズ解除のコマンドに応答して、その別の場所がコンテンツを受信することを許可されたかどうかを判定することにより開始される。受信することを許可された場合、一の場所においてポーズされた記録されたコンテンツの再生が開始される。
【図面の簡単な説明】
【０００９】
【図１】本発明の原理にしたがって、記録デバイスのアクセス制御を実施するのに適切な接続されたディスプレイデバイスの第１の例示のネットワークを示す概略ブロック図である。
【図２】本発明の原理にしたがって、記録デバイスのアクセス制御を実施するのに適切な接続されたディスプレイデバイスの第２の例示のネットワークを示す概略ブロック図である。
【図３】異なる場所における記録されたコンテンツのアクセス認可を設定する方法のステップを示すフローチャートである。
【発明を実施するための形態】
【００１０】
図１は、典型的には視聴覚番組の形式（例えば、映画及びテレビ番組）で、複数の視聴覚ティスプレイデバイス１２１−１２ｎにコンテンツを配布する第１の例示のネットワーク１０の概略ブロック図を示す。ここでｎは０より大きい整数である。典型的に、ディスプレイデバイス１２１−１２ｎの各々は、共有の敷地内の異なる場所に存在する。例えば、ディスプレイデバイスの各々は、典型的にひとつの家の異なる部屋の中に存在する。
【００１１】
ネットワーク１０は、マスターコンテンツ選択デバイス１４を、典型的には、関連する記録デバイス１６を有するセットトップボックスの形式で含み、記録デバイス１６はセットトップボックスに内蔵されるもの又はセットトップボックスに外付けされるもののどちらかであるハードディスク等である。実際には、マスターセットトップボックス１４は、ケーブルテレビまたは衛星テレビプロバイダ等のネットワークサービスプロバイダから視聴覚コンテンツを受信する。マスターセットトップボックス１４は、関連するディスプレイデバイス、例えばディスプレイデバイス１２１にコンテンツを配信する。加えて、マスターセットトップボックス１４は、スレーブセットトップボックス１８１に例示されるような、１またはそれより多くのスレーブセットトップボックスにコンテンツを配信する機能を有する。実際には、マスターセットトップボックス及びスレーブセットトップボックスは、ＭｏＣＡ（Ｍｕｌｔｉｍｅｄｉａ  ｏｖｅｒ  Ｃａｂｌｅ  Ａｌｌｉａｎｃｅ）により設定されたホームマルチメディアネットワーク標準を使用して、デバイス間のコンテンツの共有を許可する。セットトップボックス等のコンテンツ選択デバイス間のコンテンツの共有を許可する他のネットワーク標準も同様に使用できる。
【００１２】
マスターセットトップボックス１４が対応するディスプレイデバイス（例えばディスプレイデバイス１２１）にコンテンツを配信するのと同様に、スレーブセットトップボックスの各々は、対応するディスプレイデバイスにコンテンツを配信する働きを有する。したがって、例えば、スレーブセットトップボックス１８１は、ディスプレイデバイス１２２にコンテンツを配信する。場合によっては、ディスプレイデバイス１２ｎ等のディスプレイデバイスは、図１において透視して示されるスレーブセットトップボックスにより表示されるように、スレーブセットトップボックスの必要性を取り除くために必要な構造及び機能を有する。この状況下で、ディスプレイデバイス１２ｎは、スレーブセットトップボックスを介さずに、むしろマスターセットトップボックス１４から直接コンテンツを受信する。マスターセットトップボックス１４から、スレーブセットトップボックス１８１等のスレーブセットトップボックスへのコンテンツの配布は、典型的には同軸ケーブルを介して行われるが、他の通信リンク、有線または無線であってもこの機能を同様に提供できる。
【００１３】
図１のネットワーク１０等の、典型的なホームマルチメディアネットワーク内において、マスターセットトップボックス１４は、ユーザが、第１のデバイスに表示された以前に記録されたコンテンツの再生をポーズできるようにし、その後、別のディスプレイデバイスにおいて、コンテンツの再生を再開（すなわちポーズ解除）できるようにする。典型的に、ユーザは、ディスプレイデバイス１２１に関連するマスターセットトップボックス１４へ、リモートコントロール２０を介して適切なコマンドを入力することにより、ディスプレイデバイス１２１においてコンテンツの再生をポーズする。その後、ユーザは、適切なコマンドを、リモートコントロール（図示せず）を介して、例えばスレーブセットトップボックス１８１等のスレーブセットトップボックスのうちのひとつに入力し、家の別の場所にあるディスプレイデバイス１２２において、記録されたコンテンツの再生のポーズ解除（すなわち再開）をする。「ポーズ−転送−ポーズ解除」という言葉は、しばしば、一の場所でコンテンツの再生をポーズし、後に別の場所で再生を再開する処理の簡略化した表現である。
【００１４】
図２は、複数の視聴覚表示デバイス１２１−１２ｎ（例えばテレビセット）にコンテンツを配信する、ホームマルチメディアネットワーク１００の第２の実施形態の概略ブロック図を示す。ネットワーク１００は、コンテンツプロバイダネットワークのヘッドエンド１５０に接続されたゲートウェイ１４０を含む。ゲートウェイ１４０は、ヘッドエンド１５０からコンテンツを受信して、複数のコンテンツ選択デバイス、典型的にはセットトップボックス１８０１-１８０ｎ（ｎは整数）の各々にコンテンツを配布する。セットトップボックスの各々は、テレビ１２１−１２ｎのうち、対応するディスプレイデバイスにコンテンツを提供する。
【００１５】
図１のネットワーク１０とは異なり、図２のネットワーク１００は記録デバイスを欠いている。むしろ、コンテンツサービスプロバイダにより維持されるヘッドエンド１５０は、典型的に、ネットワーク１００から受信した、コンテンツを記録及び再生するコマンドに応答する１またはそれより多くの記録デバイス１６０を含む。特に、ユーザは、ゲートウェイ１４０を介してヘッドエンド１５０に送信してコンテンツの記録または再生を開始する適切なコマンドを、リモートコントロール１９０のひとつを介してセットトップボックス１８０１-１８０ｎのうちのひとつに入力できる。図１のネットワーク１０のように、ネットワーク１００は、第１のディスプレイデバイス１２１において表示されているコンテンツのポーズ、及び第２のディスプレイデバイス１２ｎにおいて表示の再開をすることを許可する。言い換えれば、図２のネットワーク１００は、図１のネットワーク１０のようなポーズ−転送−ポーズ解除の機能を有する。典型的に、ユーザは、リモートコントロール１９０を介してセットトップボックスのうちのひとつに適切なコマンドを入力することにより、図２のネットワーク１００においてコンテンツの再生のポーズまたはポーズ解除を行う。ゲートウェイ１４０と同様に、セットトップボックス１８０１−１８０ｎは、例えば、無線機能を有する携帯電話、パーソナルデータアシスタントまたはタブレット等の、モバイルデバイス２００等の別のデバイスを介して入力されたポーズコマンドに応答することにも対応する。無線接続の性質により、ユーザは、自己のモバイルデバイス２００を使用して、離れた場所から家の中の場所においてコンテンツのポーズを解除する。
【００１６】
一の場所にあるディスプレイデバイスにおいてコンテンツの再生をポーズし、その後、別の場所にあるディスプレイデバイスにおいて再生を開始する機能は、コンテンツの性質に関して問題を有していること及びコンテンツのそれぞれが所与の場所で再生を開始可能であることが判明する可能性がある。例えば、親が、第１の場所（例えば寝室）において成人向けテーマを有するコンテンツの再生し、その後、親が主寝室に入ると再生を再開する目的でコンテンツをポーズする。しかし、今日ホームマルチメディアネットワークにおいて利用できるポーズ−転送−ポーズ解除の機能は、ユーザが、ネットワークにより提供された任意の場所においてコンテンツのポーズ解除をすることが可能となる。
【００１７】
本発明の原理にしたがって、図１のネットワーク１０及び図２のネットワーク１００は、ユーザがコンテンツの再生を開始できる場所を制限することができる機能をユーザに提供する。図３は、フローチャートの形式で、ユーザが、コンテンツの再生を再開（例えばポーズ解除）できる場所にあるデバイス（例えばセットトップボックスまたはディスプレイデバイス）に対する許可を設定する方法３００のステップを示す。方法３００は、ステップ３０２で開始し、このとき、ユーザがコンテンツの再生を止めるポーズコマンドを開始する。その後、ユーザはコマンドを開始して、ポーズ解除コマンドを受け取った後にコンテンツが再生できるディスプレイデバイスを有する場所のメニューを取得する。ステップ３０４の間、ユーザは、コンテンツのポーズ解除が許可できる場所に関連するデバイス（例えばセットトップボックス）に対して許可を与える。ユーザは、スクロールにより場所のリストを見ることができる。したがって、例えば、ユーザが、主寝室内のセットトップボックスに対する許可を与えることできるが、居間や子供部屋内のセットトップボックスに対して許可を与えることができない。さらに、ユーザは、あるモバイルデバイスに許可を与えることができるが、それ以外のモバイルデバイスには許可を与えることができない。同様に、ユーザは、パスワードまたはＰＩＮ（ｐｒｅｓｏｎａｌ  ｉｄｅｎｔｉｆｉｅｒ）がないときは、特にコンテンツのポーズ解除ができない状態になるデバイスを除外することができる。コンテンツのポーズを解除する許可により、ユーザがこれらの状態を選択すると、ステップ３０４の間にそのデバイスにおいてポーズ解除のコマンドの受け取り次第、コンテンツの再生が行われる。
【００１８】
図３のステップ３００は、追加の改善を含む。例えば、ユーザがステップ３０２の間に許可を与える前に、ユーザ認証が生じ、パスワードまたはＰＩＮの入力を要求する。さらに、図３のセットアップ方法は、たとえユーザ入力がない場合であっても、時刻またはコンテンツに関するレーティングに基づいて、自動的にある場所を除外する。例えば、夕方のある時間の後、子供部屋や居間等の子供に占領されそうな任意の場所は、自動的にコンテンツのポーズ解除が許可されなくなる。さらに、ステップ３０２の間に与えられた許可も、独立した場所にあるデバイスを含む。例えば、ユーザは、モバイルデバイス（例えば、子供の携帯電話）に対してコンテンツ再生のポーズ解除の許可又は拒否をすることができる。
【００１９】
上記は複数の場所におけるコンテンツ再生のアクセスを制御する技術を表現している。
【図１】
2014519240.tif 000003
【図２】
2014519240.tif 000004
【図３】
2014519240.tif 000005
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
複数の場所において以前に記録されたコンテンツへのアクセスの制御をする方法であって、
ユーザが、一の場所において、前記以前に記録されたコンテンツの再生の再開が許可されるかどうかを判定するステップであって、前記以前に記録されたコンテンツは以前に他の場所においてポーズされた、ステップと、
前記以前に記録されたコンテンツの再生の再開が許可される場合、
前記一の場所において、前記ポーズされた以前に記録されたコンテンツの再生を開始するステップと、
を含む、前記方法。
【請求項２】
前記判定するステップは、前記一の場所が、前記コンテンツに関するレーティングに基づいてコンテンツの再生の再開を許可されるかどうかを判定するステップを含む、請求項１に記載の方法。
【請求項３】
前記判定するステップは、前記一の場所が、日時に基づいて再生の再開を許可されるかどうかを判定するステップを含む、請求項１に記載の方法。
【請求項４】
前記判定するステップは、前記一の場所が、ユーザの設定した場所の認可のリストにしたがって再生の再開を許可されるかどうかを判定するステップを含む、請求項１に記載の方法。
【請求項５】
前記以前に記録されたコンテンツの再生を開始するステップは、リモートコントロールからのポーズ解除のコマンドを受信するステップを含む、請求項１に記載の方法。
【請求項６】
前記以前に記録されたコンテンツの再生を開始するステップは、モバイルデバイスからのポーズ解除のコマンドを受信するステップを含む、請求項１に記載の方法。
【請求項７】
複数の場所において以前に記録されたコンテンツへのアクセスの制御をする装置であって、
ユーザが、一の場所において、前記以前に記録されたコンテンツの再生の再開が許可されるかどうかを判定する手段であって、前記以前に記録されたコンテンツは以前に他の場所においてポーズされた、手段と、
前記以前に記録されたコンテンツの再生の再開が許可される場合、
前記一の場所において、前記ポーズされた以前に記録されたコンテンツの再生を開始する手段と、
を含む、前記装置。
【請求項８】
前記判定する手段は、前記一の場所が、前記コンテンツに関するレーティングに基づいてコンテンツの再生の再開を許可されるかどうかを判定する、請求項７に記載の装置。
【請求項９】
前記判定する手段は、前記一の場所が、日時に基づいて再生の再開を許可されるかどうかを判定する、請求項７に記載の装置。
【請求項１０】
前記判定する手段は、前記一の場所が、ユーザの設定した場所の認可のリストにしたがって再生の再開を許可されるかどうかを判定する、請求項７に記載の装置。
【請求項１１】
前記以前に記録されたコンテンツの再生を開始する手段は、リモートコントロールからのポーズ解除のコマンドに応答する、請求項７に記載の装置。
【請求項１２】
前記以前に記録されたコンテンツの再生を開始する手段は、モバイルデバイスからのポーズ解除のコマンドに応答する、請求項７に記載の装置。
【手続補正２】
【補正対象書類名】明細書
【補正対象項目名】００１９
【補正方法】変更
【補正の内容】
【００１９】
上記は複数の場所におけるコンテンツ再生のアクセスを制御する技術を表現している。
本発明の好ましい実施形態を以下に示す。
付記１．複数の場所において以前に記録されたコンテンツへのアクセスの制御をする方法であって、
ユーザが、一の場所において、前記以前に記録されたコンテンツの再生の再開が許可されるかどうかを判定するステップであって、前記以前に記録されたコンテンツは以前に他の場所においてポーズされた、ステップと、
前記以前に記録されたコンテンツの再生の再開が許可される場合、
前記一の場所において、前記ポーズされた以前に記録されたコンテンツの再生を開始するステップと、
を含む、前記方法。
付記２．前記判定するステップは、前記一の場所が、前記コンテンツに関するレーティングに基づいてコンテンツの再生の再開を許可されるかどうかを判定するステップを含む、付記１に記載の方法。
付記３．前記判定するステップは、前記一の場所が、日時に基づいて再生の再開を許可されるかどうかを判定するステップを含む、付記１に記載の方法。
付記４．前記判定するステップは、前記一の場所が、ユーザの設定した場所の認可のリストにしたがって再生の再開を許可されるかどうかを判定するステップを含む、付記１に記載の方法。
付記５．前記以前に記録されたコンテンツの再生を開始するステップは、リモートコントロールからのポーズ解除のコマンドを受信するステップを含む、付記１に記載の方法。
付記６．前記以前に記録されたコンテンツの再生を開始するステップは、モバイルデバイスからのポーズ解除のコマンドを受信するステップを含む、付記１に記載の方法。
付記７．複数の場所において以前に記録されたコンテンツへのアクセスの制御をする装置であって、
ユーザが、一の場所において、前記以前に記録されたコンテンツの再生の再開が許可されるかどうかを判定する手段であって、前記以前に記録されたコンテンツは以前に他の場所においてポーズされた、手段と、
前記以前に記録されたコンテンツの再生の再開が許可される場合、
前記一の場所において、前記ポーズされた以前に記録されたコンテンツの再生を開始する手段と、
を含む、前記装置。
付記８．前記判定する手段は、前記一の場所が、前記コンテンツに関するレーティングに基づいてコンテンツの再生の再開を許可されるかどうかを判定する、付記７に記載の装置。
付記９．前記判定する手段は、前記一の場所が、日時に基づいて再生の再開を許可されるかどうかを判定する、付記７に記載の装置。
付記１０．前記判定する手段は、前記一の場所が、ユーザの設定した場所の認可のリストにしたがって再生の再開を許可されるかどうかを判定する、付記７に記載の装置。
付記１１．前記以前に記録されたコンテンツの再生を開始する手段は、リモートコントロールからのポーズ解除のコマンドに応答する、付記７に記載の装置。
付記１２．前記以前に記録されたコンテンツの再生を開始する手段は、モバイルデバイスからのポーズ解除のコマンドに応答する、付記７に記載の装置。
【国際調査報告】
2014519240.tif 000006
2014519240.tif 000007
2014519240.tif 000008